(57)【要約】      （修正有）【課題】ファッション性が高く、比較的小型に設計することができ、耐久性に富み、取り付けが容易であり、且つ、負荷が掛かった場合における離脱の確実性を高めた名札等吊下具における安全装置を提供すること。【解決手段】多数のボール４を連結線５を介して等間隔おきに連結してなるボールチェーン３をループ状態に形成して名札等を吊り下げるようにした名札等吊下具２であり、弾性変形素材により軸方向に所望の長さを有する棒状体７からなり、軸方向両端に、ボールチェーン両端末のボール４ａ、４ｂを挿通許容する挿通路８ａ、８ｂと、挿通路の末端部にボールチェーン両端末のボールを保持収容するボール収容部とを有し、ボールチェーンに一定以上の張力が掛かった際、前記ボールチェーン両端末のボールが軸方向に抜き出て、前記ループ状態を解除するように構成した名札等吊下具における安全装置。【選択図】図１
2008058518.tif 000002
【特許請求の範囲】
【請求項１】
多数のボールを連結線を介して等間隔おきに連結してなるボールチェーンをループ状態に形成して名札等を吊り下げるようにした名札等吊下具であって、弾性変形素材により軸方向に所望の長さを有する棒状体からなり、軸方向両端に、前記ボールチェーン両端末のボールを挿通許容する挿通路と、前記挿通路の末端部に前記ボールチェーン両端末のボールを保持収容するボール収容部とを有し、前記ボールチェーンに一定以上の張力が掛かった際、前記ボールチェーン両端末のボールが軸方向に抜き出て、前記ループ状態を解除するように構成してなることを特徴とする名札等吊下具における安全装置。
【請求項２】
前記挿通路にスリ割りを設けてなることを特徴とする請求項１に記載の名札等吊下具における安全装置。
【請求項３】
前記棒状体におけるボール収容部に対して、前記ボールチェーン両端末のボールを前記棒状体の径方向から前記ボール収容部に収容する径方向ボール挿通路を設けてなることを特徴とする請求項１または請求項２に記載の名札等吊下具における安全装置。
【請求項４】
前記ボールチェーンのボールが、直径約２〜５ｍｍ程度であって、前記棒状体の径寸法が、約４〜６ｍｍ程度で、その長さ寸法が約１０〜１６ｍｍ程度であることを特徴とする請求項１〜請求項３のいずれかに記載の名札等吊下具における安全装置。
【請求項５】
前記棒状体が、適度の弾性変形を有するプラスチック素材からなることを特徴とする請求項１〜請求項４のいずれかに記載の名札等吊下具における安全装置。
【発明の詳細な説明】
【技術分野】
【０００１】
この発明は、名札やＩＣカード、あるいは携帯電話等を首から吊り下げて使用する際に利用される名札等吊下具にかかるものであって、特に、ボールチェーンによる名札等吊下具において、該ボールチェーンに一定以上の張力が掛かった際、ボールチェーンのループ状態を解除するようにした名札等吊下具における安全装置に関するものである。
【背景技術】
【０００２】
従来、名札等吊下具における安全装置としては、例えば、特許文献１に開示されているもののように、ループ状態の懸吊ひもと、この懸吊ひもの両端を連結する薄いプレート状部材でなる安全装置本体２１とからなる安全装置２が提供されている。この特許文献１に開示の安全装置は、薄いプレート状部材に一対の切り欠きを設け、この切り欠きに懸吊ひも両端の結び部を掛け止めておき、負荷が掛かると外れるように構成したものである。
【０００３】
この特許文献１のものは、耐久性に問題があり、取り付けが煩雑であり、且つ、負荷が掛かった場合における離脱の確実性に乏しいなど多くの問題を有するものであった。
【０００４】
【特許文献１】特開２００４−３４７７３３号公報（要約、図２）
【発明の開示】
【発明が解決しようとする課題】
【０００５】
そこで、この発明は、上記する従来の技術にみられる問題点を解消しようとするものであり、ファッション性が高く、比較的小型に設計することができるにもかかわらず、耐久性に富み、取り付けが容易であり、且つ、負荷が掛かった場合における離脱の確実性を高めた名札等吊下具における安全装置を提供するものである。
【課題を解決するための手段】
【０００６】
この発明は、上記する目的を達成するにあたって、請求項１に記載の発明は、多数のボールを連結線を介して等間隔おきに連結してなるボールチェーンをループ状態に形成して名札等を吊り下げるようにした名札等吊下具であって、弾性変形素材により軸方向に所望の長さを有する棒状体からなり、軸方向両端に、前記ボールチェーン両端末のボールを挿通許容する挿通路と、前記挿通路の末端部に前記ボールチェーン両端末のボールを保持収容するボール収容部とを有し、前記ボールチェーンに一定以上の張力が掛かった際、前記ボールチェーン両端末のボールが軸方向に抜き出て、前記ループ状態を解除するように構成してなる名札等吊下具における安全装置である。
【０００７】
さらに、この発明において請求項２に記載の発明は、請求項１に記載の名札等吊下具における安全装置であって、前記挿通路にスリ割りを設けてなることを特徴とするものである。
【０００８】
さらに、この発明において請求項３に記載の発明は、請求項１あるいは請求項２に記載の名札等吊下具における安全装置であって、前記棒状体におけるボール収容部に対して、前記ボールチェーン両端末のボールを前記棒状体の径方向から前記ボール収容部に収容する径方向ボール挿通路を設けてなることを特徴とするものである。
【０００９】
さらに、この発明において請求項４に記載の発明は、請求項１〜請求項３のいずれかに記載の名札等吊下具における安全装置であって、前記ボールチェーンのボールが、直径約２〜５ｍｍ程度であって、前記棒状体の径寸法が、約４〜６ｍｍ程度で、その長さ寸法が約１０〜１６ｍｍ程度であることを特徴とするものである。
【００１０】
さらに、この発明において請求項５に記載の発明は、請求項１〜請求項４のいずれかに記載の名札等吊下具における安全装置であって、前記棒状体が、適度の弾性変形を有するプラスチック素材からなることを特徴とするものである。
【発明の効果】
【００１１】
以上の構成において、この発明になる名札等吊下具における安全装置によれば、弾性変形素材により軸方向に所望の長さを有する棒状体からなり、軸方向両端に、前記ボールチェーン両端末のボールを挿通許容する挿通路と、前記挿通路の末端部に前記ボールチェーン両端末のボールを保持収容するボール収容部とを有し、前記ボールチェーンに一定以上の張力が掛かった際、前記ボールチェーン両端末のボールが軸方向に抜き出て、前記ループ状態を解除するように構成したものであって、ファッション性が高く、比較的小型に設計することができるにもかかわらず、耐久性に富み、取り付けが容易であり、且つ、負荷が掛かった場合における離脱の確実性を高めた名札等吊下具における安全装置として極めて有効に作用するものといえる。
【発明を実施するための最良の形態】
【００１２】
以下、この発明になる名札等吊下具における安全装置について、図面に示す具体的な実施例にもとづいて詳細に説明する。図１は、この発明になる名札等吊下具における安全装置の具体的な実施例を示すものであり、図１Ａは、この発明になる名札等吊下具における安全装置の第１の実施例を示す概略的な斜視図であり、図１Ｂは、第２の実施例を示す概略的な斜視図である。図２は、第１の実施例になる安全装置であって、図２Ａ１は、図１ＡにおけるＸ−Ｘ線断面図であり、図２Ａ２は、図１ＡにおけるＹ−Ｙ線断面図である。図２Ｂ１は、ボールチェーンの両端を安全装置にセットした状態を示す概略的な断面図であり、図２Ｂ２は、ボールチェーンの一端が軸方向に抜き出た状態を示す概略的な断面図である。
【００１３】
一方、図３は、第２の実施例になる安全装置であって、図３Ａ１は、図１ＢにおけるＹ−Ｙ線断面図であり、図３Ａ２は、図１ＢにおけるＸ−Ｘ線断面図である。図３Ｂ１は、ボールチェーンの両端を安全装置にセットした状態を示す概略的な断面図であり、図３Ｂ２は、ボールチェーンの一端が軸方向に抜き出た状態を示す概略的な断面図である。図４各図は、第２の実施例になる安全装置の装着の手順を示すものであって、図４Ａ１および図４Ｂ１は、ボールチェーンの端末を棒状体の径方向から挿入する状態を示す斜視図および側断面図であり、図４Ａ２および図４Ｂ２は、先端のボール２個を棒状体の端へ平行に移動させる状態を示す斜視図および側断面図であり、図４Ａ３および図４Ｂ３は、安全装置がセットされた最終の状態を示す斜視図および側断面図である。
【００１４】
この発明になる安全装置１は、図５に示すように、多数のボール４を連結線５を介して等間隔おきに連結してなるボールチェーン３をループ状態に形成して名札等６を吊り下げるようにした名札等吊下具２に対して適用される。
【００１５】
前記安全装置１は、例えば、適度の弾性変形を有するプラスチック素材により軸方向に所望の長さを有する棒状体７からなっている。前記棒状体７は、その軸方向両端７ａおよび７ｂに、前記ボールチェーン３両端末のボール４ａおよび４ｂを挿通許容する挿通路８ａおよび８ｂと、前記挿通路８ａおよび８ｂの末端部に前記ボールチェーン両端末のボール４ａおよび４ｂを保持収容するボール収容部９ａおよび９ｂとを有し、前記ボールチェーン３に一定以上の張力が掛かった際、前記ボールチェーン両端末のボール４ａおよび４ｂが軸方向に抜き出て、前記ループ状態を解除するように構成してある。
【００１６】
前記棒状体７には、前記挿通路８ａおよび８ｂに対応して、軸方向両端７ａおよび７ｂに達するスリ割り１０ａおよび１０ｂが設けられている。
【００１７】
この基本構成になるこの発明の第１の実施例のものでは、前記棒状体７の軸方向両端７ａおよび７ｂから挿通路８ａおよび８ｂを介して前記ボールチェーン３両端末のボール４ａおよび４ｂを挿通し、該ボール４ａおよび４ｂをボール収容部９ａおよび９ｂに収容する。前記ボールチェーン３に一定以上の張力が掛かった際には、前記ボールチェーン両端末のボール４ａおよび４ｂが軸方向に抜き出て、前記ループ状態を解除するようになっている。
【００１８】
このような基本構成のものに対し、図１Ｂおよび図３に示すこの発明になる第２の実施例のものでは、前記棒状体７におけるボール収容部９ａおよび９ｂに対して、前記ボールチェーン３両端末のボール４ａおよび４ｂを前記棒状体７の径方向から前記ボール収容部９ａおよび９ｂに収容する径方向ボール挿通路１１ａおよび１１ｂが設けられている。
【００１９】
この第２の実施例のものでは、前記棒状体７の径方向から径方向ボール挿通路１１ａおよび１１ｂを介して前記ボールチェーン３両端末のボール４ａおよび４ｂを挿通し（図４Ａ１および図４Ｂ１参照）、該ボール４ａおよび４ｂをボール収容部９ａおよび９ｂに収容し、しかる後、前記ボールチェーン３を図４Ａ３および図４Ｂ３に示すように回転させて、前記安全装置をセットする。前記ボールチェーン３に一定以上の張力が掛かった際、前記ボールチェーン両端末のボール４ａおよび４ｂが軸方向に抜き出て、前記ループ状態を解除するようになっている。
【００２０】
この発明において、前記ボールチェーン３のボール４は、直径約２〜５ｍｍ程度であり、前記棒状体７の径寸法は、約４〜６ｍｍ程度で、その長さ寸法が約１０〜１６ｍｍ程度であり、比較的小型に設計することができる。
【図面の簡単な説明】
【００２１】
【図１】図１は、この発明になる名札等吊下具における安全装置の具体的な実施例を示すものであり、図１Ａは、この発明になる名札等吊下具における安全装置の第１の実施例を示す概略的な斜視図であり、図１Ｂは、第２の実施例を示す概略的な斜視図である。
【図２】図２は、第１の実施例になる安全装置であって、図２Ａ１は、図１ＡにおけるＸ−Ｘ線断面図であり、図２Ａ２は、図１ＡにおけるＹ−Ｙ線断面図である。図２Ｂ１は、ボールチェーンの両端を安全装置にセットした状態を示す概略的な断面図であり、図２Ｂ２は、ボールチェーンの一端が軸方向に抜き出た状態を示す概略的な断面図である。
【図３】図３は、第２の実施例になる安全装置であって、図３Ａ１は、図１ＢにおけるＹ−Ｙ線断面図であり、図３Ａ２は、図１ＢにおけるＸ−Ｘ線断面図である。図３Ｂ１は、ボールチェーンの両端を安全装置にセットした状態を示す概略的な断面図であり、図３Ｂ２は、ボールチェーンの一端が軸方向に抜き出た状態を示す概略的な断面図である。
【図４】図４各図は、第２の実施例になる安全装置の装着の手順を示すものであって、図４Ａ１および図４Ｂ１は、ボールチェーンの端末を棒状体の径方向から挿入する状態を示す斜視図および側断面図であり、図４Ａ２および図４Ｂ２は、先端のボール２個を棒状体の端へ平行に移動させる状態を示す斜視図および側断面図であり、図４Ａ３および図４Ｂ３は、安全装置がセットされた最終の状態を示す斜視図および側断面図である。
【図５】この発明になる安全装置１の適用例を示す概略的な斜視図である。
【符号の説明】
【００２２】
１  安全装置
２  名札等吊下具
３  ボールチェーン
４  多数のボール
４ａ、４ｂ  両端末のボール
５  連結線
６  名札等
７  棒状体
７ａ、７ｂ  棒状体の軸方向両端
８ａ、８ｂ  挿通路
９ａ、９ｂ  ボール収容部
１０ａ、１０ｂ  スリ割り
１１ａ、１１ｂ  径方向ボール挿通路
【図１】
2008058518.tif 000003
【図２】
2008058518.tif 000004
【図３】
2008058518.tif 000005
【図４】
2008058518.tif 000006
【図５】
2008058518.tif 000007